(57)【特許請求の範囲】
【請求項１】
ＲＧＢ三色の映像を合わせてカラー映像を表示する表示装置のコンバーゼンス調整装置であって、
十字形状部分を含む第１パタンと、この第１のパタンと隣り合い前記第１パタンの十字形状部分に水平方向又は垂直方向に連続性をもつ矩形状の第２のパタンとを画面上に同時に表示するためのパタン信号を生成するパタン生成手段と、
複数の操作用スイッチを備える操作手段と、
前記パタン生成手段からパタン信号を受け、前記操作手段から調整モードの指示を受けると、Ｒ，Ｇ，Ｂの映像信号の少なくとも二つにそれぞれ対応させたパタン信号を前記表示装置へと供給するパタン供給手段と、
前記操作手段から調整量信号を与えられ、これに応じて画面上に表示する前記第１パタンと第２パタンとの座標を変更するべく前記パタン信号を調整するパタン調整手段と、
前記操作手段から与えられる決定信号を受け、前記パタン調整手段による現在の調整量をコンバーゼンス調整量と決定してメモリへ格納する調整量決定手段と、
前記調整量決定手段が決定したコンバーゼンス調整量をメモリから読み出し、これに応じた偏向信号を出力する偏向信号出力手段と、
を具備することを特徴とするコンバーゼンス調整装置。
【請求項２】
ＲＧＢ三色の映像を合わせてカラー映像を表示する表示装置のコンバーゼンス調整装置であって、
Ｌ字状の第１パタンと、この第１パタンとは逆方向のＬ字状のパタンであり、少なくともコンバーゼンス調整が完了した状態にて重なり合うことで十字状パタンを形成する第２パタンとを画面上に同時にを表示するためのパタン信号を生成するパタン生成手段と、
複数の操作用スイッチを備える操作手段と、
前記パタン生成手段からパタン信号を受け、前記操作手段から調整モードの指示を受けると、Ｒ，Ｇ，Ｂの映像信号Ｓの少なくとも二つにそれぞれ対応させたパタン信号を前記表示装置へと供給するパタン供給手段と、
前記操作手段から調整量信号を与えられ、これに応じて画面上に表示する前記第１パタンと第２パタンとの座標を変更するべく前記パタン信号を調整するパタン調整手段と、
前記操作手段から与えられる決定信号を受け、前記パタン調整手段による現在の調整量をコンバーゼンス調整量と決定してメモリへ格納する調整量決定手段と、
前記調整量決定手段が決定したコンバーゼンス調整量をメモリから読み出し、これに応じた偏向信号を出力する偏向信号出力手段と、
を具備することを特徴とするコンバーゼンス調整装置。
【請求項３】
ＲＧＢ三色の映像を合わせてカラー映像を表示する表示装置であって、
Ｒ、Ｇ、Ｂの映像信号Ｓに応じて画面上にカラー映像を表示する表示手段と、
十字形状部分を含む第１パタンと、この第１のパタンと隣り合い前記第１パタンの十字形状部分に水平方向又は垂直方向に連続性をもつ矩形状の第２のパタンとを画面上に同時に表示するためのパタン信号を生成するパタン生成手段と、
複数の操作用スイッチを備える操作手段と、
前記パタン生成手段からパタン信号を受け、前記操作手段から調整モードの指示を受けると、前記Ｒ，Ｇ，Ｂの映像信号Ｓの少なくとも二つにそれぞれ対応するパタン信号を前記表示手段へと供給するパタン供給手段と、
前記操作手段から調整量信号を与えられると、これに応じて前記画面上に表示する前記第１パタンと第２パタンとの座標を変更するべく前記パタン信号を調整するパタン調整手段と、
前記操作手段から与えられる決定信号を受け、前記パタン調整手段による現在の調整量をコンバーゼンス調整量と決定してメモリへ格納する調整量決定手段と、
前記調整量決定手段が決定したコンバーゼンス調整量をメモリから読み出し、これに応じた偏向信号を前記表示手段へと供給することで、前記画面上に前記コンバーゼンス調整量が反映された映像を表示させる偏向信号供給手段と、
を具備することを特徴とする表示装置。
【請求項４】
ＲＧＢ三色の映像を合わせてカラー映像を表示する表示装置のコンバーゼンス調整方法であって、
十字形状部分を含む第１パタンと、この第１のパタンと隣り合い前記第１パタンの十字形状部分に水平方向又は垂直方向に連続性をもつ矩形状の第２のパタンとを画面上に同時に表示するためのパタン信号を生成するパタン生成工程と、
前記パタン生成工程からパタン信号を受け、前記操作装置が有する操作手段を介して調整モードの指示を受けると、Ｒ，Ｇ，Ｂの映像信号Ｓの少なくとも二つにそれぞれ対応させたパタン信号を前記表示装置へと供給するパタン供給工程と、
前記操作手段を介して調整量信号を与えられ、これに応じて画面上に表示する前記第１パタンと第２パタンとの座標を変更するべく前記パタン信号を調整するパタン調整工程と、
前記操作手段を介して与えられる決定信号を受け、前記パタン調整工程による現在の調整量をコンバーゼンス調整量と決定してメモリへ格納する調整量決定工程と、
前記調整量決定工程で決定したコンバーゼンス調整量をメモリから読み出し、これに応じた偏向信号を出力する偏向信号出力工程と、
を具備することを特徴とするコンバーゼンス調整方法。
【請求項５】
ＲＧＢ三色の映像を合わせてカラー映像を表示する表示装置のコンバーゼンス調整方法であって、
Ｌ字状の第１パタンと、この第１パタンとは逆方向のＬ字状のパタンであり、少なくともコンバーゼンス調整が完了した状態にて重なり合うことで十字状パタンを形成する第２パタンとを画面上に同時にを表示するためのパタン信号を生成するパタン生成手工程と、
前記パタン生成工程からパタン信号を受け、前記操作装置が有する操作手段を介して調整モードの指示を受けると、Ｒ，Ｇ，Ｂの映像信号Ｓの少なくとも二つにそれぞれ対応させたパタン信号を前記表示装置へと供給するパタン供給工程と、
前記操作手段を介して調整量信号を与えられ、これに応じて画面上に表示する前記第１パタンと第２パタンとの座標を変更するべく前記パタン信号を調整するパタン調整工程と、
前記操作手段を介して与えられる決定信号を受け、前記パタン調整工程による現在の調整量をコンバーゼンス調整量と決定してメモリへ格納する調整量決定工程と、
前記調整量決定工程で決定したコンバーゼンス調整量をメモリから読み出し、これに応じた偏向信号を出力する偏向信号出力工程と、
を具備することを特徴とするコンバーゼンス調整方法。
【請求項６】
ＲＧＢ三色の映像を合わせてカラー映像を表示する表示手段を有する表示方法において、
十字形状部分を含む第１パタンと、この第１のパタンと隣り合い前記第１パタンの十字形状部分に水平方向又は垂直方向に連続性をもつ矩形状の第２のパタンとを画面上に同時に表示するためのパタン信号を生成するパタン生成工程と、
前記パタン生成工程でのパタン信号を受け、前記操作装置が有する操作手段を介して調整モードの指示を受けると、前記Ｒ，Ｇ，Ｂの映像信号Ｓの少なくとも二つにそれぞれ対応するパタン信号を前記表示手段の映像入力端子へと供給するパタン供給工程と、
前記操作手段を介して調整量信号を与えられると、これに応じて前記画面上に前記パタン供給工程によって表示している前記第１パタンと第２パタンとの座標を変更するべく前記パタン信号を調整するパタン調整工程と、
前記操作手段を介して決定信号を受け、前記パタン調整工程による現在の調整量をコンバーゼンス調整量と決定してメモリへ格納する調整量決定工程と、
前記調整量決定工程にて決定したコンバーゼンス調整量をメモリから読み出し、これに応じた偏向信号を前記表示手段へと供給することで、前記画面上に前記コンバーゼンス調整量が反映された映像を表示させる偏向信号供給工程と、
を具備することを特徴とする表示方法。
【発明の詳細な説明】
【０００１】
【発明の属する技術分野】
この発明は、カラーテレビジョン受像機や、Ｒ（赤）、Ｇ（緑）、Ｂ（青）に対応した三つの投射管を備える投射管式プロジェクションテレビジョン装置のコンバーゼンス調整装置に関する。
【０００２】
【従来の技術】
最近、画像表示装置において、大型化・高画質化が頓に望まれており、そのための技術開発が急がれている。このような画像表示装置として、カラーテレビジョン受像機や、Ｒ（赤）、Ｇ（緑）、Ｂ（青）に対応した三つの投射管を備える投射管式プロジェクションテレビジョンでは、画面全域にわたり均等な映像を表示するべくコンバーゼンス調整が必要である。特に、後者の受像装置では、このコンバーゼンス調整が必須となる。
【０００３】
一般に、コンバーゼンスを調整する場合は、図６の（ａ）に示すクロスハッチ、図６の（ｂ）に示すドット、図６の（ｃ）に示す十字などのパタンを表示してＲＧＢ各色が良好に重なるようにコンバーゼンス調整を行う。コンバーゼンス調整に関しては、特開平７−２１２７７９号公報“デジタルコンバーゼンス装置”にて説明されている。コンバーゼンスを行うにあたっては、人間が実際に画面を見ながら調整を行う場合と、製造ラインで行われているようなカメラで画面を取り込みつつこの画面映像をコンピューターに取り込み、コンバーゼンス調整にフィードバックを行う場合がある。
【０００４】
前者の場合は、調整者が上記したコンバーゼンス調整用パタンのＲ，Ｇ，Ｂ映像をオンオフさせて、Ｒ、Ｇ、Ｂの映像がうまく重なるようにコンバーゼンス調整を行う。この場合、例えばＧの映像にＲやＢの映像を重ね合わせ、実際のコンバーゼンスずれを見ながらコンバーゼンス調整を行う。
【０００５】
しかし、人間の感性は、コンバーゼンスずれに関する感度は低く、画面全体を良好な状態にするためにはかなりの時間がかかる。また、Ｒ、Ｇ、Ｂのビーム径、形状、フォーカスは、画面の部位により異なり、コンバーゼンスの良好を瞬時に判断することは難しい。たとえば、Ｇのビーム径よりＲのビーム径が小さい場合、ＧのビームにＲのビームが重なり合い、Ｒの本来あるべきビーム位置を判断することが難しくなる。また、ブルーは一般的にフォーカスが悪く、ＧとＲのコンバーゼンスがあった状態からＢのコンバーゼンスをあわせようと思っても、なかなか良好にＢのコンバーゼンスを合わせることができない。
【０００６】
【発明が解決しようとする課題】
このように、従来のコンバーゼンス調整はクロスハッチ、ドット、十字などのコンバーゼンス調整用パタンのＲ，Ｇ，Ｂ映像をオンオフさせながらこれらが重複したことを確認してコンバーゼンスずれを解消するものだが、パタンの重複の識別が難しいため一般ユーザがこれを迅速に精度良く行えず、結果として調整時間が長くなるという問題がある。
【０００７】
本発明は、各色信号の複数パタンが、コンバーゼンス完了後に特定の幾何学模様を描くことにより、一般ユーザにもコンバーゼンス調整を容易に行うことができるパタン生成装置、コンバーゼンス調整装置及びこれを用いた画像表示装置とこれらの方法を提供することを目的とする。
【０００８】
【課題を解決するための手段】
本発明は、ＲＧＢ三色の映像を合わせてカラー映像を表示する表示装置のコンバーゼンス調整装置であって、十字形状部分を含む第１パタンと、この第１のパタンと隣り合い前記第１パタンの十字形状部分に水平方向又は垂直方向に連続性をもつ矩形状の第２のパタンとを画面上に同時に表示するためのパタン信号を生成するパタン生成手段と、複数の操作用スイッチを備える操作手段と、前記パタン生成手段からパタン信号を受け、前記操作手段から調整モードの指示を受けると、Ｒ，Ｇ，Ｂの映像信号の少なくとも二つにそれぞれ対応させたパタン信号を前記表示装置へと供給するパタン供給手段と、前記操作手段から調整量信号を与えられ、これに応じて画面上に表示する前記第１パタンと第２パタンとの座標を変更するべく前記パタン信号を調整するパタン調整手段と、前記操作手段から与えられる決定信号を受け、前記パタン調整手段による現在の調整量をコンバーゼンス調整量と決定してメモリへ格納する調整量決定手段と、前記調整量決定手段が決定したコンバーゼンス調整量をメモリから読み出し、これに応じた偏向信号を出力する偏向信号出力手段とを具備することを特徴とするコンバーゼンス調整装置である。
【０００９】
又、本発明は、ＲＧＢ三色の映像を合わせてカラー映像を表示する表示装置であって、
Ｒ、Ｇ、Ｂの映像信号Ｓに応じて画面上にカラー映像を表示する表示手段と、十字形状部分を含む第１パタンと、この第１のパタンと隣り合い前記第１パタンの十字形状部分に水平方向又は垂直方向に連続性をもつ矩形状の第２のパタンとを画面上に同時に表示するためのパタン信号を生成するパタン生成手段と、複数の操作用スイッチを備える操作手段と、
前記パタン生成手段からパタン信号を受け、前記操作手段から調整モードの指示を受けると、前記Ｒ，Ｇ，Ｂの映像信号Ｓの少なくとも二つにそれぞれ対応するパタン信号を前記表示手段へと供給するパタン供給手段と、前記操作手段から調整量信号を与えられると、これに応じて前記画面上に表示する前記第１パタンと第２パタンとの座標を変更するべく前記パタン信号を調整するパタン調整手段と、前記操作手段から与えられる決定信号を受け、前記パタン調整手段による現在の調整量をコンバーゼンス調整量と決定してメモリへ格納する調整量決定手段と、前記調整量決定手段が決定したコンバーゼンス調整量をメモリから読み出し、これに応じた偏向信号を前記表示手段へと供給することで、前記画面上に前記コンバーゼンス調整量が反映された映像を表示させる偏向信号供給手段とを具備することを特徴とする表示装置である。
【００１１】
本発明は、上述したパタン生成装置を用いたコンバーゼンス調整装置又は表示装置であり、カラーテレビジョン受像機や、投射管式プロジェクションテレビジョン装置のコンバーゼンス調整を行う際に、前記第１、第２のパタンを表示することにより、ユーザは十字形状の幾何学模様を完成させるべく調整を行うことで、迅速で高精度なコンバーゼンス調整が可能となる。
【００１４】
【発明の実施の形態】
以下、図面を参照しながら本発明に係るパタン生成装置及びこれを用いたコンバーゼンス調整装置と画像表示装置について、詳細に説明する。
【００１５】
＜本発明に係るパタン生成装置＞
図１は本発明の第１の実施形態に係るコンバーゼンス調整用パタンを示す図、図２は本発明の第２及び第３の実施形態に係るコンバーゼンス調整用パタンを示す図、図３は本発明の第４の実施形態に係るコンバーゼンス調整用パタンを示す図である。
【００１６】
図１の（ａ）は、本発明の第１の実施形態であるコンバーゼンス調整用パタンが示されている。ただし、コンバーゼンス調整に限らず、他の信号処理の指標にも使用可能である。パタン２−１は一例としてＧ（グリーン）、パタン１−１、１−２、１−３、１−４はそれぞれ一例としてＲ（レッド）のパタンである。
【００１７】
このようなパタンを用いてコンバーゼンス調整は、以下のように行われる。すなわち、Ｇは、通常、基準となる色であり、Ｇの十字パタン２−１の中央が画面の所定位置にくるよう、ユーザはＧの調整を行う。調整が終わると次に、Ｒのパタン１−１〜１−４を表示させる。
【００１８】
ここで、図１の（ａ）は、ＧとＲのコンバーゼンスが良好に合っている状態であり、幾何学模様として、ＧとＲを組み合わせた大きな十字が完成されている。図１の（ｂ）は、コンバーゼンスが合致していない状態である。この場合、ＧとＲを組み合わせた十字は完成されておらず、従ってユーザはコンバーゼンスが合致していないことを容易に認識することができる。
【００１９】
これらの図において、コンバーゼンスのずれ量は、水平、垂直の模様連続性として認識することができ、直感的にコンバーゼンスずれを認識することができる。例えば、図１の（ｂ）の水平方向のコンバーゼンスずれを測定しようとした場合、Ｒのパタン１−１、１−２の中心軸線８とＧの十字２−１の中心軸線９の距離を測定すれば、コンバーゼンスずれを容易かつ客観的に測定することができる。
【００２０】
更に図１の（ｃ）は、Ｇの十字パタン２−２のフォーカスが悪い場合を示す。このような場合でも、Ｇの十字パタン２−２の中心軸線９、Ｒの中心軸線８を目視で認識することは容易であり、これを一致させるようにコンバーゼンス調整を行えば良好な状態を得ることができる。又、パタン１−１、１−２、１−３、１−４は、Ｒのパタンとして説明したが、Ｂ（ブルー）に関しても全く同様なパタンを表示してコンバーゼンス調整を行うことができる。
【００２１】
図２の（ａ）は、本発明の第２の実施形態である、Ｒ，Ｇ，Ｂの三色のコンバーゼンス調整用パタン３，４，５を示している。パタン３はＧ、パタン４はＲ、パタン５はＢのパタンである。図２の（ａ）は、三色のコンバーゼンスが良好に合致している状態を示しており、幾何学模様として、ＲとＧとＢとを組み合わせた大きな十字パタンが完成されている。
【００２２】
又、図２の（ｂ）は、本発明の第２の実施形態であるパタンが、コンバーゼンスが合致していない状態を示している。この場合、ＲとＧとＢを組み合わせた十字パタンは完成されておらず、ユーザはコンバーゼンスがあっていないことを容易に認識することができる。この場合でも、コンバーゼンスのずれ量は、水平、垂直の模様連続性として認識することができ、ユーザは直感的にコンバーゼンスずれを認識することができる。
【００２３】
又、図２の（ｃ）は、本発明の第３の実施形態であるＬ字型の二つのパタンを示しており、一方はＬ字型のＲのパタン６であり他方が逆Ｌ字型のＧのパタン７である。これらはコンバーゼンスが合致している状態では十字型になり、（ｄ）は、コンバーゼンスが合致していない状態を示している。第３の実施形態のパタンでも同様に、ユーザは直感的にコンバーゼンスずれを認識することが可能となる。
【００２４】
このように本発明の第１乃至第３の実施形態におけるＧ色とＲ色，Ｇ色とＢ色、もしくはＧ色とＲ色とＢ色とで構成されたコンバーゼンス調整パタンは、垂直方向、あるいは水平方向に連続性を有し、全体として幾何学模様を形成することを特徴とするものである。このようなコンバーゼンス調整用パタンでは、コンバーゼンスずれがある場合、幾何学模様の形状が完成しないことより、一目でコンバーゼンスずれがあること及びコンバーゼンスのずれ方向をユーザは認識することができる。このような特徴をもったパタンは、図１や図２のパタンに限定されず、無数に考えられる。
【００２５】
又、図３の（ａ）は、本発明の第４の実施形態であるパタンを示しており、コンバーゼンスが良好である場合を示している。パタン１０の抜け部分にパタン１１がぴたりとはまり、図形が完成している。ここで、パタン１０を例えばＧ色とする。パタン１０は、一例として四角形であり、中に十字の抜け部分がある。パタン１１を、Ｒ色、あるいはＢ色とし、パタン１０の抜け部分を補う十字形状とする。コンバーゼンスが不良の場合の状態を図３の（ｂ）に示す。この場合、パタン１０の抜け部分とパタン１１の十字が一致せず、図形が完成しない。
【００２６】
このように、第４の実施形態によれば、コンバーゼンスが不良の状態では各色の重なりが無い空白部分を生じ、コンバーゼンスが良好な状態では空白部分を埋めるようにしている。従って、コンバーゼンスの良好、不良を図形の完成度として判断でき、コンバーゼンスずれを一目で認識することができる。ここでは、二色の場合を想定して説明を行ったが、抜け部分を複数設け、複数の色の十字パタンを同時に表示させることも可能である。例えば二カ所の抜け部分を設け、一方の抜け部分にはＲのパタンをはめ込み、他方の抜け部分にはＢのパタンをはめ込むようにし、背景と併せれば、三色の信号のコンバーゼンス調整が一度に可能となる。又、抜け部分の形状に関しては、十字として説明を行っているが、他の形状でも同様の効果を得ることができ、形状を限定するものではない。
【００２７】
又、本発明に係るパタンは、コンバーゼンス調整用のパタンとして説明したが、複数の信号間を調整する信号処理であれば、どのようなものでも適用することが可能なのは言うまでもない。
【００２８】
＜本発明に係るパタンを用いる画像表示装置＞
次に、上述したパタンをコンバーゼンス調整に用いる画像表示装置について、図面を用いて以下に詳細に説明する。
【００２９】
図４はこの実施の形態を説明するための背面投写式のプロジェクションテレビによる実施形態の構成を示し、図５は本発明に係るデジタルコンバーゼンス部のブロック図を示す。
【００３０】
図４に示すプロジェクションテレビにおいて、入力端子Ｔに映像信号Ｓが入力される。この映像信号Ｓは、画像表示装置の外部から与えられるものであってもよいし図示しない内蔵するチューナからのものであってもよい。映像信号Ｓは、選択回路１２に供給されるもので、この選択回路１２には、上述した本発明に係るコンバーゼンス用パタンを生成する調整用パタン信号生成回路１３からの調整用の映像信号Ｓも入力される。
【００３１】
選択回路１２は、入力装置１４からの指令入力の供給されるマイクロプロセッサ１５からの指令によって、映像信号Ｓ若しくは調整用パタン信号生成回路１３からの調整用パタン信号Ｓの一方を選択するもので、選択回路１２で選択された映像信号Ｓは映像信号処理回路１６に供給される。そして、この映像信号処理回路１６では供給された映像信号Ｓに基づくＲＧＢ信号にそれぞれ変換し、増幅回路１７１、１７２、１７３でそれぞれ増幅して、ＲＧＢの三原色それぞれに対応する投写管１８１、１８２、１８３にそれぞれ供給され、適宜光学系（図示せず）を介してスクリーン１９の背面に投写する。これにより、投写管１８１〜１８３それぞれからの投写映像がスクリーン１９上で重ね合わせて投影され、カラー映像が写しだされて、この映像が視聴者により視認されるようにする。
【００３２】
選択回路１２で選択された映像信号Ｓは、さらに同期分離回路２０に供給され、同期信号が分離抽出される。この同期信号は主偏向信号発生回路２１およびデジタルコンバーゼンス部２２に対して入力される。そして、主偏向信号発生回路２１で発生された水平（Ｈ）および垂直（Ｖ）の主偏向信号は、ＲＧＢにそれぞれ対応する投写管１８１〜１８３それぞれのネックに装着した主偏向コイルの入力端子に供給される。
【００３３】
ここで、３本の投写管１８１〜１８３とスクリーン１９との間には、適宜反射鏡が配置され、各投写管１８１〜１８３それぞれからの映像光を折り返してスクリーン１９に導くもので、装置の薄型化が図れるようにしている。また、３本の投写管１８１〜１８３それぞれとスクリーン１９との位置関係は相違している。このため、同一の投写管にあっても画面中央部と周辺部とでは位置関係が異なり、このままでは投写されたＲＧＢの各色の映像が正しく重なることがなく、歪みも発生するようになる。
【００３４】
デジタルコンバーゼンス部２２は、このような問題点に対処するコンバーゼンスの調整を行うもので、このコンバーゼンス部２２にはマイクロプロセッサ１５からの指令入力と共に、同期分離回路２０からの同期信号が入力される。そして、投写管１８１〜１８３それぞれに対応する水平および垂直の補助偏向信号を発生し、これら６種の補助偏向信号は増幅回路２３１〜２３６でそれぞれ増幅して、投写管１８１〜１８３それぞれのネックに備え付けられた水平および垂直の補助偏向コイルの入力端子に供給する。
【００３５】
図５はデジタルコンバーゼンス部２２の詳細な回路構成を示すもので、マイクロプロセッサ１５からの指令の供給されるメモリ３１を備える。このメモリ３１には同期分離回路２０で抽出された同期信号が入力される制御信号発生回路３２からの制御信号が供給され、画面内で格子状に配列とされた複数個の調整点それぞれにおける補正信号のレベルが、デジタルデータとして格納されている。
【００３６】
メモリ３１からは、入力される同期信号に同期してコンバーゼンス補正データが読み出され、このコンバーゼンス補正信号は、Ｄ／Ａ変換回路３４１〜３４６に入力されてアナログ信号に変換され、投写管１８１〜１８３それぞれの水平および垂直偏向に対応するアナログ状補助偏向信号として出力され、増幅回路２３１〜２３６にそれぞれ供給される。
【００３７】
このように構成される装置において、コンバーゼンス調整を行う場合について説明する。まず、調整を行うユーザが入力装置１４を操作し、コンバーゼンス調整モードを設定することをマイクロプロセッサ１５に指示する。マイクロプロセッサ１５は、選択回路１２に対して選択指令を与え、調整用パタン信号生成回路１３からの調整用パタン信号Ｓを選択し、上述したパタンに対応したパタン信号Ｐ（Ｐ１，Ｐ２，Ｐ３，……）を映像信号処理回路１６並びに同期分離回路２０に供給する。なお、このときのパタン信号Ｐは後に複数のパタン信号Ｐ１，Ｐ２，Ｐ３へと分離可能な一つのパタン信号としてもよいし、初めから独立した複数のパタン信号Ｐ１，Ｐ２，Ｐ３であってもよい。
【００３８】
調整用パタン信号生成回路１３においては、図６の（ｃ）で示したような調整点にそれぞれ対応して、図１乃至図３を用いて上述したコンバーゼンス調整のための調整用パタン信号Ｓを発生させ、この調整用映像が表示されるようにする。調整者は、この調整用映像を見ながら、例えば図１の場合なら十字状のパタンが完成するように例えば入力装置１４の操作スイッチを操作することで調整量信号をマイクロプロセッサ１５へ供給して調整し、コンバーゼンスのずれと歪みを無くするようにする。すなわち、調整量信号に応じて、マイクロプロセッサ１５からの制御信号に応じてコンバーゼンスパタンの座標が変更されパタンが画面上で移動されて、所定の幾何学模様が完成するとコンバーゼンス調整が完了するものである。
【００３９】
ユーザが調整を完了したものと判断して調整の完了を決定し、完了を意味する操作を入力装置１４を介して行うことで、パタンの現在の座標位置でのコンバーゼンス調整量がメモリ３１に格納され、コンバーゼンス調整が完了する。
【００４０】
ここでコンバーゼンスパタンは、一度に二つのパタンを表示するものであれば、ＲとＧとを調節し、その後、ＲとＢか、ＧとＢかを調整する等のように、２度に分けてコンバーゼンス調整することになる。なお、一度に三つのパタンを表示した場合は順次に三つの信号を調整することも可能となる。又、スクリーン１９上のコンバーゼンス調整のポイントは、図６の（ｃ）に示したように複数箇所あるので、同様の操作で順番にコンバーゼンスのずれているポイントのコンバーゼンス調整を行うことができる。
【００４１】
このように本発明は、コンバーゼンス調整として用いる場合、Ｒ，Ｇ，Ｂのうちのどれか二つ（又は３つ）の信号に対応したパタンを図１乃至図３に示すように表示し、調整が完了すると特定の幾何学模様を形成するようなパタンとする。これにより、従来装置では操作が複雑となるコンバーゼンス調整操作を迅速で正確なものとすることができるパタン生成装置、コンバーゼンス調整装置及びこれを用いた画像表示装置とその方法を提供することができる。
【００４２】
以上記載した様々な実施形態により、当業者は本発明を実現することができるが、更にこれらの実施形態の様々な変形例を想到することが当業者によって容易であり、発明的な能力をもたなくとも様々な実施形態へと適用することが可能である。このように本発明は、開示された原理と新規な特徴に矛盾しない広範な範囲に及ぶものであり、上述した実施形態に限定されるものではない。
【００４３】
例えば、実施の形態で説明されるようなプロジェクションテレビに限らずこの発明は適用できるものであり、ＣＲＴを備えた大型のテレビジョン受像装置や、ＣＲＴや投写管を用いた映像を用いる応用機器に対して適用が可能である。
【００４４】
更に本発明のパタンはコンバーゼンス調整に限らず、例えば画面上での複数の信号調整であれば、上述したコンバーゼンス調整の場合と同様に迅速で高精度な調整操作を可能とするものであることは言うまでもない。
【００４５】
【発明の効果】
以上、本発明によれば、このコンバーゼンス用パタンを用いることで、コンバーゼンスのずれを幾何学模様の乱れに置き換えてユーザに認知させることができ、コンバーゼンスのずれを直感的に即座に認識させることで、迅速で高精度なコンバーゼンス調整を行うことが可能なパタン生成装置、コンバーゼンス調整装置及びこれを用いた画像表示装置とその方法を提供することができる。
【図面の簡単な説明】
【図１】本発明の第１の実施形態に係るコンバーゼンス調整用パタンを示す図。
【図２】本発明の第２及び第３の実施形態に係るコンバーゼンス調整用パタンを示す図。
【図３】本発明の第４の実施形態に係るコンバーゼンス調整用パタンを示す図。
【図４】本発明に係る画像表示装置のブロック図。
【図５】本発明に係るデジタルコンバーゼンス部の構成を示すブロック図。
【図６】従来のコンバーゼンス調整用パタンを示す図。
【符号の説明】
１−１〜１−４  …  第１実施形態の調整用パタン
２  …  第１実施形態の調整用パタン
３〜５  …  第２実施形態の調整用パタン
６，７  …  第３実施形態の調整用パタン
１０，１１  …  第４実施形態の調整用パタン
１３  …  調整用パタン信号生成回路
１６  …  映像信号処理回路
２０  …  同期分離回路
２１  …  主偏向信号発生回路
２２  …  デジタルコンバーゼンス部
【図１】
0003557183.tif 000002
【図２】
0003557183.tif 000003
【図３】
0003557183.tif 000004
【図４】
0003557183.tif 000005
【図５】
0003557183.tif 000006
【図６】
0003557183.tif 000007